(57)【要約】【課題】水に濡れる場所や湿度の高い場所においても、強度や保形性を保つことが可能な造花を提供すること。【解決手段】本考案に係る造花は、表面に多数の微細穴を有する発泡性合成樹脂からなる可撓性の面材で構成した複数の造花構成体を含み、当該造花構成体の一部または全部が曲面形状に成形されると共に、前記複数の造花構造体を所望の配置をもって結合することを特徴とする。造花構成体が、発泡性合成樹脂からなることにより、造花は、耐水性・撥水性・防水性に優れた特徴を備える。そのため、造花の設置又は展示場所は屋内だけに限られず、例えば、雨水に濡れる可能性のある屋外や、プールや浴槽などの水面に浮かせた状態での展示等が可能となる。また、本考案に係る造花は優れた耐水性等を備えるため、水に濡れる場所や湿度の高い場所に設置又は展示された場合であっても、屋内設置の場合と変わらない強度や保形性を保つことが可能となる。【選択図】  図３
0003228090.tif 000002
【実用新案登録請求の範囲】
【請求項１】
表面に多数の微細穴を有する発泡性合成樹脂からなる可撓性の面材で構成した複数の造花構成体を含み、当該造花構成体の一部または全部が曲面形状に成形されると共に、前記複数の造花構造体を所望の配置をもって結合することを特徴とする造花。
【請求項２】
前記微細穴には所望の香料が液体又は固体の状態で保持されていることを特徴とする請求項１に記載の造花。
【請求項３】
前記造花構成体の厚さは、０．５ｍｍ以上２ｍｍ以下であることを特徴とする請求項１又は２に記載の造花。
【考案の詳細な説明】
【技術分野】
【０００１】
本考案は、耐水性・撥水性・防水性に優れ、水に触れる状況においても設置又は展示することのできる造花に関するものである。
【背景技術】
【０００２】
従来、紙を素材とする造花が広く知られているが、紙は保形性が低く、また、複数枚を重ねた場合であっても千切れやすく、裂けやすく、破れやすいといった問題点があった。そこで、造花の強度の向上を図るとともに、保形性およびデザイン性を向上させるために特許文献１の造花が提供されている。特許文献１に記載の造花は、紙と接着剤とを有する造花体（花弁や葉、茎など）を備え、造花体は、紙と同一の面積、または紙よりも小さい面積を有する布を備え、紙を布の両面に接着剤にて貼り付け、布を紙にて挟み込むようにして形成され、布は、紙にて覆われていることを特徴とする構成である。
【先行技術文献】
【特許文献】
【０００３】
【特許文献１】特開２０１９−１９９６５４号公報
【考案の概要】
【考案が解決しようとする課題】
【０００４】
しかしながら、特許文献１に記載の造花は、素材が紙と布で構成されているために、水に濡れる場所や湿度の高い場所においては、強度や保形性を保つことが困難であり、造花が設置又は展示される場所が限定されてしまうという問題点があった。本考案は、当該問題点に鑑みてなされたものである。
【課題を解決するための手段】
【０００５】
前記問題点を解決するために、本考案に係る造花は、表面に多数の微細穴を有する発泡性合成樹脂からなる可撓性の面材で構成した複数の造花構成体を含み、当該造花構成体の一部または全部が曲面形状に成形されると共に、前記複数の造花構造体を所望の配置をもって結合することを特徴とする。
【０００６】
また、前記考案において、本考案に係る造花は、前記微細穴には所望の香料が液体又は固体の状態で保持されていることを特徴とする。
【０００７】
また、前記考案において、本考案に係る造花は、前記造花構成体の厚さは、０．５ｍｍ以上２ｍｍ以下であることを特徴とする。
【図面の簡単な説明】
【０００８】
【図１】本考案に係る造花構成体１０の構成図である。
【図２】本考案に係る造花構成体１０の表面の一部拡大図である。
【図３】本考案に係る造花１００の組立図である。
【考案を実施するための形態】
【０００９】
図１は、本考案に係る造花構成体１０の構成図である。図１に示すとおり、造花１００は、造花構成体１０である花弁１、花柱２や葉３などを備える。当該造花構成体１０は、造花１００の花の品種により、例えば花弁１が４枚と花柱２が１つといったように適宜の個数が用いられる。
【００１０】
前記造花構成体１０は、可撓性の面材であり、当該造花構成体１０の一部または全部が曲面形状に成形される。すなわち、当該造花構成体１０は、造花１００において用いられる部分により、それぞれ花弁、花柱や葉などに模して成形される。前記造花構成体１０の厚さは０．５ｍｍ以上２ｍｍ以下であることが好ましい。当該厚さにより、造花１００のデザイン性が向上し、より生花に近い外観の造花を製造することができる。また、デザイン性の向上に加え、創作の自由度も向上するため、生花では表現が難しい外観を作り出すことも可能となる。
【００１１】
前記造花構成体１０は、発泡性合成樹脂からなり、例えば、発泡ポリエチレンを用いることが好ましい。発泡ポリエチレンは耐水性・撥水性・防水性に優れる特徴を有するため、造花１００の強度や保形性を保つことができ、水に濡れる場所や湿度の高い場所においても、造花１００を配置又は展示することが可能となる。
【００１２】
また、発泡ポリエチレンは曲げやすい特徴を有するため、造花１００の製造・整形をより容易にし、さらに、発泡ポリエチレンは柔軟である特徴を有するため、紙や布に比べてより強い強度を備えることが可能となる。仮に、造花１００に割れや裂けが生じた場合であっても、原料である合成樹脂ビーズがぼろぼろとこぼれることが無く、容易に修復が可能である。前記造花構成体１０には、発泡ポリエチレンのほか、発泡ポリウレタンやエチレンを原料としたいわゆるビニールも採用することができる。
【００１３】
図２は、本考案に係る造花構成体１０の表面の一部拡大図である。図２に示すとおり、前記造花構成体１０が、発泡性合成樹脂からなることにより、造花構成体１０の表面には多数の微細穴Ｈが形成される。そのため、所望の液体香料を造花１００に噴霧した場合、又は、固体香料を造花１００に塗布・添加した場合、当該香料が前記微細穴Ｈに保持されて、ゆっくりと揮発していくことにより、長時間にわたって香りを漂わせる造花を構成することができる。
【００１４】
次に、図３を参照しつつ、造花１００の製造方法を説明する。まず、ユーザーは、発泡ポリエチレン素材を厚さ１ｍｍとなるよう切り出し、花弁の形に型抜きした造花構成体１０を４枚用意する（図３（ａ））。次に、アイロンやヒートガン等により造花構成体１０に熱を加え、生花の花弁を模した形状に、当該造花構成体１０を成形する。熱を加えられて整形された造花構成体１０は、当該熱が冷めることで保形性が向上し、成形された形状を長期間にわたって保持する。
【００１５】
そして、ユーザーは、２枚の造花構成体１０Ａを、花弁部分が互い違いになるように重ね、造花構成体１０の中心部分が突出するよう押圧し、当該突出部分Ｃを針金Ｗで固定する（図３（ｂ））。最後に、ユーザーは、残り２枚の造花構成体１０Ｂを花弁部分が互い違いになるように重ね、中心部分を押圧し突出させ、当該突出部分Ｄの凹部側で前記造花構成体１０（Ａ）の突出部分Ｃを包むよう配置し、前記造花構成体１０Ａおよび１０Ｂの突出部分Ｅを針金Ｗで固定する（図３（ｃ））。その後、ユーザーが必要に応じてアイロン等により形状の微調整を行い、造花１００が完成する（図３（ｄ））。
【００１６】
本考案によれば、以下の効果を奏することができる。
本考案に係る造花１００を構成する造花構成体１０が、発泡性合成樹脂からなることにより、造花１００は、耐水性・撥水性・防水性に優れた特徴を備える。そのため、造花１００の設置又は展示場所は屋内だけに限られず、例えば、雨水に濡れる可能性のある屋外や、プールや浴槽などの水面に浮かせた状態での展示等が可能となる。また、本考案に係る造花１００は優れた耐水性等を備えるため、水に濡れる場所や湿度の高い場所に設置又は展示された場合であっても、屋内設置の場合と変わらない強度や保形性を保つことが可能となる。
【００１７】
また、発泡性合成樹脂は柔軟性を備えるため、本考案に係る造花１００は、従来の紙や布からなる造花に比べ、より強い強度とより高いデザイン性を備えることが可能となる。すなわち、造花１００は、従来の紙や布からなる造花に比べて、屋内屋外を問わず長期間の設置又は展示が可能となる。さらに、デザイン性の向上により、生花では表現が難しい外観を持つ造花を作り出すことが可能となる。
【００１８】
また、香料等を造花１００に噴霧・塗布・添加した場合、造花構成体１０が、発泡性合成樹脂からなることにより、造花構成体１０の表面に形成された多数の微細穴に香料等が保持されるため、長時間にわたって香りを漂わせる造花を構成することが可能となる。
【符号の説明】
【００１９】
１      造花構成体の花弁
２      造花構成体の花柱
３      造花構成体の葉
１０    造花構成体
１００  造花
Ｗ      針金
【図１】
0003228090.tif 000003
【図２】
0003228090.tif 000004
【図３】
0003228090.tif 000005
【手続補正書】
【提出日】令和2年7月8日(2020.7.8)
【手続補正１】
【補正対象書類名】実用新案登録請求の範囲
【補正対象項目名】全文
【補正方法】変更
【補正の内容】
【実用新案登録請求の範囲】
【請求項１】
表面に多数の微細穴を有する発泡性合成樹脂からなる可撓性の面材で構成した複数の造花構成体を含み、当該造花構成体の一部または全部が曲面形状に成形されると共に、前記複数の造花構成体を所望の配置をもって結合することを特徴とする造花。
【請求項２】
前記微細穴には所望の香料が液体又は固体の状態で保持されていることを特徴とする請求項１に記載の造花。
【請求項３】
前記造花構成体の厚さは、０．５ｍｍ以上２ｍｍ以下であることを特徴とする請求項１又は２に記載の造花。